(57)【要約】【課題】  アプローチショット・パッティング装置で、アプローチショットの練習とパッティングの練習が同一場所で、省スペースででき、かつアプローチショットとパッティングの練習が異なる場所で、単独に行うことができるようにすると共に、安価に製作することを目的とする。【解決手段】  アプローチショット装置のネットの張設のフレームは、組立式の塩ビパイプ方式とし、該ネットの下にパッティング装置を敷置し、アプローチショット装置のボール後退部のネットの上部、またはその延長上のフレームの枠外にショットマットを配置する。【選択図】図１
2011189095.tif 000002
【特許請求の範囲】
【請求項１】
打球を受け、打球が落下後、練習者方へ戻る傾斜を有し、徐々に水平形状になるゴルフネットを張設の継手組立式の起立フレームと、起立フレームに結合された複数の両サイドのネット張設懸吊用の支柱を有する練習者方へ徐々に狭くなっている継手組立式の水平フレームからなるアプローチショット装置と、該ゴルフネットの下側に敷置されるパッティング装置と、ショットマットで構成されるアプローチショット・パッティング装置。
【請求項２】
請求項１記載のアプローチショット装置と、該アプローチショット装置の下に敷置される人工芝フロアーマットと、ショットマットで構成されるアプローチショット・パッティング装置。
【発明の詳細な説明】
【技術分野】
【０００１】  本発明はゴルフのアプローチショット・パッティング装置に関する。
【技術】
【０００２】  従来のアプローチショット・パッティング装置は、アプローチショット装置とパッティング装置は一体構造になっており、複雑な構造になっている。例えば特開２００２−８５６２０のゴルフ・パッティング・チップショット練習機や、特開平８−２５２３５０のアプローチ用ネット装置を備えたロングパッティング装置や、特開平５−３１７４７６のゴルフ用アプローチ付パターマット等がある。本アプローチショット・パッティング装置の場合、アプローチショット装置とパッティング装置は別体になっており、継手組立式アプローチショット装置の下へ、パッティング装置が敷置され、ショットマットはアプローチショット装置のボール後退部の水平なネットの上に配置される。
【発明が解決しようとする課題】
【０００３】  従来のアプローチショット・パッティング装置の場合では、アプローチショット装置とパッティング装置が一体構造になっており、複雑でコスト的に高価である。又アプローチショットの練習とパッティングの練習を別人が同時に別の場所で練習することができない。
【発明の目的】
【０００４】  本発明は前記の課題を解決すべくなされたものであり、構造が簡単で安価で、アプローチショットとパッティングの練習を同一場所でできると共に、異なる場所で各々の練習が個別にできるものを提供することを目的とする。
【課題を解決するための手段】
【０００５】  前記の目的を達成するために、本発明は、アプローチショット用のゴルフネット張設の組立式の塩ビパイプフレームのアプローチショット装置と、ゴルフボール直接リターン方式のパッティング装置と、ショットマットを別体として構成する。アプローチショット練習時は、アプローチショット装置の下へ、パッティング装置を敷置し、アプローチショット装置のゴルフボール後退ネット部の上にショットマットを配置して使用する。パッティング練習時は、ショットマットを除去し、アプローチショット装置のボール後退部のサイドネットを懸吊支柱よりはずし、起立フレーム部のネットはそのまま残して、ボール後退部のネットを持ち上げ、折り曲げて、起立フレームに懸けて使用する。本発明のアプローチショット・パッティング装置では、パッティング装置を敷置しないで、アプローチショット装置の下に人工芝フロアーマットを敷置し、アプローチショット装置のネットの水平部の上に、ショットマットを配置して使用することもできる。人工芝フロアーマットは、パッティング装置の人工芝マットと同様に、ボールが床に落下衝突時及び落下後の返球時の騒音防止の効果がある。
【課題を解決するための手段の利点】
【０００６】  本発明では、アプローチショット装置とパッティング装置とショットマットは個別になっており、構造上安価にできる。又単独に取り出して個々に練習することができる。アプローチショット装置のフレームは、塩ビパイプと塩ビの継手で構成されており、構造が簡単で安価であり、組付分解も簡単にできる。アプローチショットの練習時、ネット下に敷置されるパッティング装置のマットは、ボールが床に落下衝突時及び、落下後の返球時の騒音防止になっており、又ネットの網目は抵抗となり、ボール戻り時の減速及びボールショット時のショットマットのずれ防止になっている。パッティング練習時、アプローチショット装置の水平フレームは、ゴルフリターンボールの両サイド及び後退端部からのボール飛び出し防止になっており、又アプローチショット練習時、水平フレーム部は、ゴルフボールショット部に向かって徐々に狭くなっており、ボールがショットマットの上に返球されるため、ショット時のボールの位置のセットが容易である。
【発明の実施例】
【０００７】  本発明に係るアプローチショット・パッティング装置の実施例について、添付の図面を参照して、以下詳細説明する。
【図面の簡単な説明】
【０００８】  図１、図２、図３、図４、図５は本発明の一実施例を示す
【図１】はアプローチショット装置正面図
【図２】はアプローチショトの平面図及びＡ−Ａ断面図
【図３】はアプローチショット装置の左側面図、右側面図、ネット懸吊部
【図４】はパッティング装置全体図
【図５】はアプローチショット装置とパッティング装置とショットマットと人工芝フロアーマットの配置図
【符号の説明】
【０００９】  符号１はアプローチショット装置、符号２はパッティング装置、符号３はショットマット、符号４ａ、４ｂ、４ｃ、４ｄ、４ｅ、４ｆ、４ｇ、４ｈ、４ｉはパイプ、符号５はチ−継手、符号６はエルボ継手、符号７はネット、符号８は落下防止紐輪、符号９はネット懸吊紐輪、符合１０は人工芝マット、符合１１は基台板、符合１２は起立板、符合１３ａ、１３ｂ、１３ｃは丸釘、符号１４ａ、１４ｂ、１４ｃ、１４ｄは押し込み鋲、符号１５ａ、１５ｂは押し込みピン、１６はキャップ、１７は人口芝フロアーマットである。【００１０】  図５に示すように、アプローチショット装置１の下に、パッティング装置２が敷置され、アプローチショット装置１の練習者方のネット７の上に、ショットマット３は配置され、フロアーに人口芝フロアーマット１７を敷置する。【００１１】  図１、図２、図３、図４、図５に示すように、塩ビパイプのフレームは、水平パイプ４ａと起立パイプ４ｂと連結パイプ４ｃ、４ｄ、４ｅとチー継手５とエルボ継手６とネット懸吊用の起立パイプ４ｆ、４ｇ、４ｈ、４ｉから構成されている。ネット７は、外周部に形状保持のためのロープが網目毎に通されており、起立部のネット７は、起立パイプ４ｂと連結パイプ４ｃに、針金入りテープで張設され、ボールの落下部のネット７は傾斜形状で徐々にたるみを持たせて水平形状になり、ボ−ルは減速しながら、練習者方へ返球される。水平パイプ４ａの中間部のチー継手５と練習者方の連結パイプ４ｅのチー継手５に、起立パイプ４ｆ、４ｇ、４ｈ、４ｉが結合されており、起立パイプ４ｆ、４ｇ、４ｈ、４ｉの上部近辺にある穴に挿入され、結び目のある落下防止紐輪８の結び目を落下防止とし、ネット７に取り付けられたネット懸吊用紐輪９により、ネット７を懸吊し、サイドからボールが飛び出さないように張設する。練習者側のサイドネットは、スイングの邪魔にならない程度の高さとし反練習者側のサイドネットは、ミスショットが反練習者側に出やすいために多少高く設定する。後退時のボールが練習者方の連結パイプ４ｄから飛び出さないように、ネット７が低く張設されている。キャップ１６は起立パイプ４ｆ、４ｇ、４ｈ、４ｉに安全のために挿入されている。塩ビパイプフレームの組付けは、塩ビパイプの外径を塩ビ継手の内径に押し込み結合するが、塩ビ継手の内径が、わずかにテーパーになっており、塩ビパイプを押し込むことにより、塩ビパイプの挿入側の端面部の外径が塩ビ継手の内径に食い込んで結合されている。図４に示すようにパッティング装置２は、ボールが直接に、起立板１２に当たり、人口芝マット１０の傾斜により、そのまま返球される方式になっており、基台板１１と起立板１２への人工芝マット１０の張設は、押し込み鋲１４ａ、１４ｂ、１４ｃ、１４ｄで係止され、張設されている。又、起立板１２のゲートの２本の押し込みピン１５ａ、１５ｂは、人工芝マット１０の上面側からゴルフのホールカップ内側の寸法に合わせた起立板１２の上部の刻印マークに合わせて、起立板１２のボールの当たり面に、人工芝マット１０の上より起立板１２に押し込まれ、設定される。基台板１１の上面の起立板１２は基台板１１の下面より、丸釘１３ａ、１３ｂ、１３ｃで係止されている。アプローチショット・パッティング装置は人工芝フロアーマット１７の上に設置する。
【発明の効果】
【００１２】  本発明のアプローチショット・パッティング装置では、アプローチショット装置、パッティング装置、ショットマットが個別になっており、製作及び組付けが簡単で安価である。省スペースであり、個別に使用もできる。
【図１】
2011189095.tif 000003
【図２】
2011189095.tif 000004
【図３】
2011189095.tif 000005
【図４】
2011189095.tif 000006
【図５】
2011189095.tif 000007